(57)【特許請求の範囲】
【請求項１】
トレッド部に設けられた陸部に配設された複数のサイプと、
３つ以上の穴から構成され、トレッド表面に形成され、
任意の２つの穴ｉ及び穴ｊについて、平面視で、穴ｉの外接円Ｃｉの半径をｒｉ、穴ｊの外接円Ｃｊの半径をｒｊ、両方の前記外接円Ｃｉ、Ｃｊの中心間距離をｄｉｊとした場合に、全ての穴ｉについて、自身の属する穴群の中に、ｄｉｊ≦（ｒｉ＋ｒｊ）×２を満たす穴ｊが少なくとも２つ存在し、
接地幅をタイヤ幅方向に３等分して区画された１つのセンター領域及び２つのショルダー領域について、前記陸部の総面積に対する前記穴の面積比率が、前記センター領域よりも前記２つのショルダー領域の各々の方で大きい、複数の穴群と、
を含むことを特徴とする空気入りタイヤ。
【請求項２】
タイヤ周方向に延在する周方向溝によって区画されたリブ、又は前記周方向溝によって区画され、タイヤ周方向に複数の陸部を有する陸部列について、各リブ又は各陸部列におけるリブ面積又は陸部の総面積に対する前記穴の面積比率が、タイヤ赤道面上のリブ若しくは陸部列又はタイヤ赤道面に最も近いリブ若しくは陸部列からタイヤ幅方向外側のリブ又は陸部列に向かうにつれて順次大きくなっている請求項１に記載の空気入りタイヤ。
【請求項３】
接地幅をタイヤ幅方向に３等分して区画された１つのセンター領域及び２つのショルダー領域について、単位面積当たりの前記サイプの長さが、前記２つのショルダー領域の各々よりも前記センター領域の方で大きい請求項１又は２に記載の空気入りタイヤ。
【請求項４】
周方向溝によって区画されたリブ、又は前記周方向溝によって区画され、タイヤ周方向に複数の陸部を有する陸部列について、単位面積当たりの前記サイプの長さが、タイヤ幅方向最外側のリブ又は陸部列からタイヤ幅方向内側のリブ又は陸部列に向かうにつれて順次大きくなっている請求項１から３のいずれか１項に記載の空気入りタイヤ。
【請求項５】
少なくとも１つの穴群において、少なくとも１つの穴の容積を他の穴の容積と異ならせた請求項１から４のいずれか１項に記載の空気入りタイヤ。
【請求項６】
前記穴群内の全ての穴の外接円の半径は、０．２ｍｍ以上１．０ｍｍ以下である請求項１から５のいずれか１項に記載の空気入りタイヤ。
【請求項７】
前記穴群内の穴の全容積は、１０ｍｍ３以下である請求項１から６のいずれか１項に記載の空気入りタイヤ。
【請求項８】
前記穴群の配設領域が、前記陸部のタイヤ回転時の踏み込み側の領域、及び蹴り出し側の領域の少なくとも一方である請求項１から７のいずれか１項に記載の空気入りタイヤ。
【発明の詳細な説明】
【技術分野】
【０００１】
本発明は、空気入りタイヤに関する。特に、本発明は、トレッド部に設けられた陸部にサイプ及び穴群が形成されたトレッド表面を有する空気入りタイヤに関する。
【背景技術】
【０００２】
氷上性能を向上させるには、トレッドパターンの陸部のエッジ長を大きくすることが好適である。一方、乾燥路面上でのタイヤ性能（ドライ性能）を向上させるには、陸部の剛性を高めることが好適である。しかしながら、トレッドパターンの陸部のエッジ長を大きくすると、陸部の剛性が低下するため、陸部のエッジ長の増加と陸部の剛性の向上とを両立させることは難しい。
【０００３】
これまで、氷上性能とドライ性能とを両立させるべく、パターンエッジによる引っ掻き効果（以下、必要に応じて「エッジ効果」と称する）を確保しながら、陸部の剛性を向上させる多くの技術が開発されている。例えば、トレッド表面に多数の穴を設けて、上記エッジ効果を確保するとともに、陸部の剛性を維持する技術が開発されており、具体的には以下の技術が挙げられる。
【０００４】
特許文献１には、ブロックパターンを基調とするトレッドパターンを有し、該ブロックパターンを構成するブロック面に、直径が０．５ｍｍから２ｍｍで、深さが主溝深さの５０％から１００％である複数個の穴を、ブロック表面積に対して０．５％から１０％となるように開口させたスタッドレスタイヤが開示されている。当該タイヤによれば、ブロック面に複数の穴を設けたことによって、主に、吸水作用の発生によりトレッド表面の接地性を改善し、氷雪路での走行性能を向上させることができる。
【０００５】
特許文献２には、一対のサイドウォールと、両サイドウォールにまたがるトレッドがトロイダルに連なり、上記トレッドに軸方向に所定間隔を置いて互いに平行に延びる複数の周方向溝と、これらの周方向溝に交わり、周方向にほぼ等間隔に配置した多数の横方向溝と、これらの溝群によって区分された独立ブロックとを含むタイヤにおいて、上記ブロックの少なくとも横方向溝に沿う端縁近傍に、タイヤの径方向内側に向かって延びる複数の小穴を、所定間隔をおいて設けた偏磨耗を抑制した空気入りタイヤが開示されている。当該タイヤによれば、ブロックの横方向溝に沿う端縁の剛性が緩和され、結果として前後方向の剪断外力をブロック全体が受けてとることになり、ブロック内の偏磨耗を効果的に抑制できる、とされている。
【０００６】
特許文献３には、少なくとも一個のブロック陸部に第一サイプと交差する方向に延びる一対の第二サイプを配設し、これら第一及び第二サイプの延長線により仮想的に区画形成される副ブロック陸部内に複数の小穴を具える空気入りタイヤが開示されている。当該タイヤによれば、ブロック陸部の曲げ変形を抑制した結果、タイヤのブロック剛性の維持を前提とし、氷上性能と雪上性能を高いレベルで両立させることができる、とされている。
【０００７】
特許文献４には、陸部に形成され、直線状又はジグザグ状に延びる複数のサイプと、陸部に形成され、トレッド踏面からタイヤ径方向内側へ向かって延びる複数の細穴とを備え、前記陸部に対する前記細穴の数は、トレッドセンター部に位置するセンター陸部からトレッドショルダー部に位置するショルダー陸部に向かって多くなっている空気入りタイヤが開示されている。当該タイヤによれば、陸部全面にサイプが形成される空気入りタイヤと比べ、陸部の剛性低下を抑制することができ、特に、ショルダー陸部の剛性低下を抑制することができるため、乾燥路面での走行性能を確保することが可能となる、とされている。
【先行技術文献】
【特許文献】
【０００８】
【特許文献１】特開平０３−２０８７０５号公報
【特許文献２】特開平０４−８５１０８号公報
【特許文献３】特開２００８−３０６５６号公報
【特許文献４】特開２００９−２７４７２６号公報
【発明の概要】
【発明が解決しようとする課題】
【０００９】
特許文献１から特許文献４に開示されている技術は、いずれも、トレッド表面に穴を設けて、タイヤの諸性能を向上させるものであり、ブロックに対する穴の密度を単に規定したもの、及び横方向溝に沿ってブロック端縁に穴を単に設けたもの等である。しかしながら、これらの技術において、トレッド表面に穴を少数設けた場合には、パターンエッジによるエッジ効果が不十分である。また、トレッド表面に穴を多数設けた場合には、陸部の剛性が不十分である。このため、特許文献１から特許文献４に開示されている技術は、高い陸部剛性とエッジ効果とを両立し難く、その結果氷上性能とドライ性能との両立を十分に図れないおそれがある。
【００１０】
本発明は、上記事情に鑑みてなされたものであって、氷上性能とドライ性能との両立を図った空気入りタイヤを提供することを目的とする。
【課題を解決するための手段】
【００１１】
上述した課題を解決し、目的を達成するために、本発明の空気入りタイヤは、トレッド部に設けられた陸部に配設された複数のサイプと、３つ以上の穴から構成され、トレッド表面に形成され、任意の２つの穴ｉ及び穴ｊについて、平面視で、穴ｉの外接円Ｃｉの半径をｒｉ、穴ｊの外接円Ｃｊの半径をｒｊ、両方の前記外接円Ｃｉ、Ｃｊの中心間距離をｄｉｊとした場合に、全ての穴ｉについて、自身の属する穴群の中に、ｄｉｊ≦（ｒｉ＋ｒｊ）×２を満たす穴ｊが少なくとも２つ存在し、接地幅をタイヤ幅方向に３等分して区画された１つのセンター領域及び２つのショルダー領域について、前記陸部の総面積に対する前記穴の面積比率が、前記センター領域よりも前記２つのショルダー領域の各々の方で大きい、複数の穴群と、を含むことを特徴とする。
【００１２】
この空気入りタイヤにおいては、トレッド表面に設けられた陸部に、複数のサイプが形成されているとともに、当該サイプによって区画形成された小ブロックに、穴群が形成されている。このため、この空気入りタイヤによれば、サイプ及び穴群の併用により、氷上性能とドライ性能との両立を図ることができる。また、上記は、全ての穴ｉについて、比較的近接した位置に穴ｊが少なくとも２つ存在することを意味する。この空気入りタイヤによれば、全ての穴ｉの周辺においては、自身又は他の穴が変形して潰れることが顕著に抑制される。これにより、除水効果と、トレッド陸部の剛性とをさらに高めることができ、ひいては氷上性能とドライ性能とをさらに高めることができる。
【００１３】
具体的には、この空気入りタイヤにおいては、３つ以上の穴から構成される穴群を複数有し、穴群内の任意の２つの穴ｉ及び穴ｊについて、穴ｉの外接円Ｃｉの半径をｒｉ、穴ｊの外接円Ｃｊの半径をｒｊ、及び前記両外接円Ｃｉ、Ｃｊの中心間距離をｄｉｊとした場合に、全ての穴ｉについて、自身の属する穴群の中に、ｄｉｊ≦（ｒｉ＋ｒｊ）×２を満たす穴ｊが少なくとも１つ存在する。これは、全ての穴ｉについて、比較的近接した位置に穴ｊが少なくとも１つ存在することを意味する。このように、狭い領域に穴ｉと穴ｊとを密集させると、密集させた複数の穴の合計容積と同一の容積の１つの穴を形成した場合に比べて、個々の穴ｉ、穴ｊは径が小さく、潰れ難いため、穴ｉ、穴ｊの倒れ込みを抑制することができる。その結果、密集させた複数の穴の合計容積と同一の容積の１つの穴を形成した場合に比べて、除水効果を低下させることなく、トレッド部に設けられた陸部の剛性を十分に確保することができる。
【００１４】
さらに、この空気入りタイヤにおいては、接地幅をタイヤ幅方向に３等分して区画された１つのセンター領域及び２つのショルダー領域について、前記陸部の総面積に対する前記穴の面積比率が、前記センター領域よりも前記２つのショルダー領域の各々の方で大きくなっている。このため、この空気入りタイヤによれば、ショルダー領域において除水効果及びエッジ効果を高めることができるとともに、センター領域において陸部の剛性を十分に確保することができる。なお、このような構成によれば、センター領域及びショルダー領域に単にサイプを均等に配設しただけの空気入りタイヤに比べて、センター領域ではサイプによってエッジ効果を維持したまま、ショルダー領域では陸部の剛性を十分に確保することができる。
【００１５】
以上により、本発明の空気入りタイヤは、サイプと穴群との併用を前提に、全ての穴ｉについて、比較的近接した位置に穴ｊを少なくとも１つ存在させるとともに、陸部の総面積に対する穴の面積比率を、センター領域よりもショルダー領域で大きくすることによって完成されたものである。このため、高い除水効果、吸水効果、及びエッジ効果によって氷上性能を高めることができるとともに、トレッド部に設けられた陸部の剛性を十分に確保することで、ドライ性能を高めることができ、その結果氷上性能とドライ性能とを両立することができる。
【００１６】
本発明の空気入りタイヤにおいては、タイヤ周方向に延在する周方向溝によって区画されたリブ、又は前記周方向溝によって区画され、タイヤ周方向に複数の陸部を有する陸部列について、各リブ又は各陸部列におけるリブ面積又は陸部の総面積に対する前記穴の面積比率が、タイヤ赤道面上のリブ若しくは陸部列又はタイヤ赤道面に最も近いリブ若しくは陸部列からタイヤ幅方向外側のリブ又は陸部列に向かうにつれて順次大きくなっていることが望ましい。センター領域及びショルダー領域にサイプのみを均等に配設した場合には、ショルダー領域での陸部の剛性が不十分であることにより、ドライ性能が不十分となる。しかしながら、この空気入りタイヤによれば、タイヤ赤道面上のリブ若しくは陸部列又はタイヤ赤道面に最も近いリブ若しくは陸部列からタイヤ幅方向外側のリブ若しくは陸部列に向けて穴群を順次多く配設し、その分、タイヤ幅方向外側のリブ又は陸部列におけるサイプの配設量を抑制している。このため、特に、ショルダー領域での陸部の剛性を十分に確保することで、ドライ性能を効率的に高めることができ、その結果氷上性能とドライ性能との両立を効率的に行うことができる。
【００１７】
また、本発明の空気入りタイヤにおいては、接地幅をタイヤ幅方向に３等分して区画された１つのセンター領域及び２つのショルダー領域について、単位面積当たりの前記サイプの長さが、前記２つのショルダー領域の各々よりも前記センター領域の方で大きいことが望ましい。この空気入りタイヤによれば、センター領域ではエッジ効果を十分に得ることができるとともに、ショルダー領域では陸部の剛性を十分に得ることができる。このため、エッジ効果の確保と、陸部剛性の確保とを効率的に行うことができ、その結果氷上性能とドライ性能の両立をさらに効率的に行うことができる。
【００１８】
また、本発明の空気入りタイヤにおいては、周方向溝によって区画されたリブ、又は前記周方向溝によって区画され、タイヤ周方向に複数の陸部を有する陸部列について、単位面積当たりの前記サイプの長さが、タイヤ幅方向最外側のリブ又は陸部列からタイヤ幅方向内側のリブ又は陸部列に向かうにつれて順次大きくなっていることが望ましい。この空気入りタイヤによれば、特に、センター領域でのエッジ効果の確保と、ショルダー領域での陸部剛性の確保とを、効率的に行うことができ、その結果、氷上性能とドライ性能との両立をさらに効率的に行うことができる。
【００２０】
また、本発明の空気入りタイヤにおいては、少なくとも１つの穴群において、少なくとも１つの穴の容積を他の穴の容積と異ならせたことが望ましい。この空気入りタイヤによれば、各穴を基準とした場合、各穴による除水効果のみならず、各穴の周りに存在する忠実なトレッドゴムの剛性を適宜設定することができる。このため、除水効果とトレッド部に設けられた陸部の剛性とを局所的に大きく又は小さくすることができる。その結果、除水効果と穴群内における上記剛性とのバランスを効率的に調整することができ、ひいては氷上性能とドライ性能とのバランスを調整することができる。
【００２１】
また、本発明の空気入りタイヤにおいては、前記穴群内の全ての穴の外接円の半径は、０．２ｍｍ以上１．０ｍｍ以下であることが望ましい。この空気入りタイヤによれば、当該半径を０．２ｍｍ以上とすることにより、各穴が潰れることを十分に抑制し、除水効果を高めることができる。また、当該半径を１．０ｍｍ以下とすることにより、各穴が変形することを十分に抑制し、剛性の低下を抑制することができる。その結果、除水効果とトレッド部の陸部の剛性とをさらに高めることができ、ひいては氷上性能とドライ性能とをさらに高めることができる。
【００２２】
また、本発明の空気入りタイヤにおいては、前記穴群内の穴の全容積は、１０ｍｍ３以下であることが望ましい。この空気入りタイヤによれば、穴群全体としてその容積を小さくすることで、容積の小さい穴を多数配設することができる。このため、各穴が変形して潰れることを十分に抑制することができ、除水効果とトレッド陸部の剛性とをさらに高めることができ、ひいては氷上性能とドライ性能とをさらに高めることができる。
【００２３】
また、本発明の空気入りタイヤにおいては、前記穴群の配設領域が、前記陸部のタイヤ回転時の踏み込み側の領域、及び蹴り出し側の領域の少なくとも一方であることが望ましい。この空気入りタイヤによれば、タイヤ回転時の吸水効果が増大し、その結果氷上性能をさらに高めることができる。
【発明の効果】
【００２４】
本発明に係る空気入りタイヤによれば、氷上性能とドライ性能との両立を図ることができる。
【図面の簡単な説明】
【００２５】
【図１】図１は、実施形態１に係る空気入りタイヤのトレッド部の一例の要部を示す平面図である。
【図２】図２は、図１に示す穴群の拡大斜視図である。
【図３−１】図３−１は、実施形態１に係る空気入りタイヤのトレッド部に形成される穴群を構成する穴の配置態様についてのバリエーションを示す平面図である。
【図３−２】図３−２は、実施形態１に係る空気入りタイヤのトレッド部に形成される穴群を構成する穴の配置態様についてのバリエーションを示す平面図である。
【図３−３】図３−３は、実施形態１に係る空気入りタイヤのトレッド部に形成される穴群を構成する穴の配置態様についてのバリエーションを示す平面図である。
【図４−１】図４−１は、実施形態１に係る空気入りタイヤのトレッド部に形成される穴群を構成する穴のバリエーションを示す平面図であり、点線は実線図形の外接円を示す。
【図４−２】図４−２は、実施形態１に係る空気入りタイヤのトレッド部に形成される穴群を構成する穴のバリエーションを示す平面図であり、点線は実線図形の外接円を示す。
【図４−３】図４−３は、実施形態１に係る空気入りタイヤのトレッド部に形成される穴群を構成する穴のバリエーションを示す平面図であり、点線は実線図形の外接円を示す。
【図４−４】図４−４は、実施形態１に係る空気入りタイヤのトレッド部に形成される穴群を構成する穴のバリエーションを示す平面図であり、点線は実線図形の外接円を示す。
【図４−５】図４−５は、実施形態１に係る空気入りタイヤのトレッド部に形成される穴群を構成する穴のバリエーションを示す平面図であり、点線は実線図形の外接円を示す。
【図４−６】図４−６は、実施形態１に係る空気入りタイヤのトレッド部に形成される穴群を構成する穴のバリエーションを示す平面図であり、点線は実線図形の外接円を示す。
【図４−７】図４−７は、実施形態１に係る空気入りタイヤのトレッド部に形成される穴群を構成する穴のバリエーションを示す平面図であり、点線は実線図形の外接円を示す。
【図５】図５は、図１に示す穴群の拡大平面図である。
【図６】図６は、実施形態２に係る空気入りタイヤのトレッド部の一例の要部を示す平面図である。
【図７】図７は、図６に示す穴群の拡大斜視図である。
【図８−１】図８−１は、実施形態２に係る空気入りタイヤのトレッド部に形成される穴群を構成する穴の配置態様についてのバリエーションを示す平面図である。
【図８−２】図８−２は、実施形態２に係る空気入りタイヤのトレッド部に形成される穴群を構成する穴の配置態様についてのバリエーションを示す平面図である。
【図９】図９は、図６に示す穴群の拡大平面図である。
【図１０】図１０は、本発明の実施例に係る空気入りタイヤの性能試験の結果を示す図表である。
【発明を実施するための形態】
【００２６】
以下に、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。また、以下に開示する構成は、適宜組み合わせることができる。以下の説明において、タイヤ周方向とは、タイヤ回転軸を中心軸とする周方向を意味する。タイヤ幅方向とは、タイヤ回転軸と平行な方向を意味し、タイヤ幅方向外側とは、タイヤ赤道面から離れる側を意味し、タイヤ幅方向内側とは、タイヤ赤道面に向かう側を意味する。タイヤ径方向とは、空気入りタイヤ回転軸と直交する方向を意味し、タイヤ径方向外側とは、タイヤ回転軸から離れる側を意味し、タイヤ径方向内側とはタイヤ回転軸に向かう側を意味する。
【００２７】
[実施形態１]
図１は、実施形態１に係る空気入りタイヤのトレッド部の一例の要部を示す平面図である。同図に示す例においては、トレッド部１に、略タイヤ周方向に延びる複数本の周方向溝２（２１、２２、２３、２４、２５、２６）と、隣り合う２本の周方向溝２（２１〜２６）を連通する複数本の横溝３（３１、３２、３３、３４、３５、３６、３７、３８）が配設されている。横溝３（３１〜３８）は、タイヤ幅方向最外部からタイヤ幅方向内側に延在するとともに、その途中からタイヤ幅方向に対して所定の角度で傾斜して延在し、タイヤ赤道面ＣＬに到達する前に終端している。また、タイヤ赤道面ＣＬ付近には、タイヤ幅方向に対して横溝３（３１〜３８）の傾斜方向とはタイヤ幅方向を基準として反対方向に傾斜した複数本の横溝４（４１、４２）が配設されている。これにより、トレッド部１には多数個の陸部５（５１、５２、５３、５４、５５、５６、５７）が区画形成されている。
【００２８】
図１に示す例においては、陸部５（５１〜５７）に、タイヤ周方向と交差して延びる複数本のサイプ６（６１、６２、６３、６４、６５、６６、６７）が配設されており、これにより陸部５（５１〜５７）は複数の小ブロック７（７１、７２、７３、７４、７５、７６、７７）に分割されている。例えば、陸部５１においては、３本のサイプ６１が配設されており、これにより陸部５１は４つの小ブロック７１に分割されている。
【００２９】
サイプ６（６１〜６７）は、図１に示すような波型形状とすることは勿論、直線形状や３次元形状とすることもできる。
【００３０】
このように小ブロック７（７１〜７７）が区画形成された陸部５（５１〜５７）のうち、陸部５１、５２、５３、５５、５６、５７のそれぞれには、３つ以上の穴から構成される複数の穴群８（８１、８２、８３、８５、８６、８７）が形成されている。図１に示す例では、穴群８（８１〜８３、８５〜８７）は、全て３つの穴８ａ、８ｂ、８ｃから構成されており、各穴８ａ〜８ｃの中心を結ぶと正三角形になる配置形状となっている。
【００３１】
図２は、図１に示す穴群の拡大斜視図である。図２に示すように、穴群８（８１〜８３、８５〜８７）を構成する各穴８ａ、８ｂ、８ｃは、全て、タイヤ径方向外側が円筒形状であり、タイヤ径方向内側が先細り形状となっている。また、各穴８ａ〜８ｃは、トレッド表面に開口しているとともに、タイヤ径方向内側で底付きとなっている。なお、各穴８ａ〜８ｃは、底の部分で、穴径が徐々に小さくなる先細り形状となっているため、底部の剛性を向上させるのに適している。
【００３２】
図２に示す例では、穴８ａ、８ｂ、８ｃは、それらのタイヤ径方向深さが同一である。各穴８ａ〜８ｃのタイヤ径方向深さは、十分な除水効果を得るため２ｍｍ以上とすることが好ましい。また、各穴８ａ〜８ｃのタイヤ径方向深さは、穴底がベルト層に近づかないことで優れた耐久性が得られるため、溝底がベルト層に近い周方向溝２の深さ以下とすることが好ましい。
【００３３】
図１に示す例では、穴８ａ、８ｂ、８ｃの配置態様は、平面視で正三角形とした態様であるが、実施形態１は、このような態様に限られない。図３−１から図３−３は、実施形態１に係る空気入りタイヤのトレッド部に形成される穴群を構成する穴の配置態様についてのバリエーションを示す平面図である。
【００３４】
穴８ａ、８ｂ、８ｃの配置態様は、図３−１に示すように、各穴８ａ〜８ｃの中心を結んだ図形が三角形となっている。また、図３−２に示すように、各穴８ａ〜８ｃの中心を結んだ図形が直線となる態様とすることもできる。また、図３−３に示すように、穴群８を４つの穴８ａ、８ｂ、８ｃ、８ｄから構成し、各穴８ａ〜８ｄの中心を結んだ図形が台形となる態様とすることもできる。なお、図３−３に示す例においては、各穴のタイヤ径方向深さは、穴８ａ〜８ｄについて同一とすることができる。
【００３５】
図１に示す例では、穴８ａ、８ｂ、８ｃは、平面視でいずれも円形であるが、実施形態１は、このような態様に限られない。図４−１から図４−７は、実施形態１に係る空気入りタイヤのトレッド部に形成される穴群を構成する穴のバリエーションを示す平面図であり、点線は実線図形の外接円を示す。
【００３６】
これらの図に示すように、穴群８を構成する穴の形状は、図４−１に示すように円形であることは勿論、図４−２に示す四角形、図４−３に示す五角形、及び図４−４に示す六角形を含むｎ角形（ｎ≧３）とすることができる。また、穴群８を構成する穴の形状は、図４−５に示す星型や、図４−６に示す雫形、及び図４−７に示す楕円形などとすることもできる。また、図１に示す例では、穴８ａ、８ｂ、８ｃの寸法（外接円の半径）は、全て等しいが、実施形態１はこのような形態に限られず、各穴の寸法は少なくとも一部において異ならせることができる。ここで、外接円とは、各穴８ａ〜８ｃの開口部の外接円を意味する。
【００３７】
このような穴の配置態様、形状及び寸法を前提に、穴群８（８１〜８３、８５〜８７）はさらに、以下の第１要件及び第２要件を満たす。即ち、第１要件とは、穴群８（８１〜８３、８５〜８７）内の任意の２つの穴ｉ及び穴ｊについて、平面視で、穴ｉの外接円Ｃｉの半径をｒｉ、穴ｊの外接円Ｃｊの半径をｒｊ、及び両外接円Ｃｉ、Ｃｊの中心間距離をｄｉｊとした場合に、全ての穴ｉについて、自身の属する穴群の中に、ｄｉｊ≦（ｒｉ＋ｒｊ）×２を満たす穴ｊが少なくとも１つ存在することである。ここで、符号ｉ、ｊは、穴群８（８１〜８３、８５〜８７）を構成する任意の穴を識別するための識別子であり、特定の穴を示すものではない。
【００３８】
さらに、第２要件とは、接地幅をタイヤ幅方向に３等分して区画された１つのセンター領域及び２つのショルダー領域について、陸部５（５１〜５７）の総面積に対する穴の面積比率が、センター領域よりも２つのショルダー領域の各々の方で大きいことである。ここで、陸部の総面積とは、タイヤ新品時の平面視で、各領域に含まれる全ての陸部の面積の総和を意味し、陸部の溝壁に相当する部分の面積は除く意味である。また、穴の面積とは、タイヤ新品時の平面視で、各領域に含まれる全ての穴の開口部の面積の総和を意味する。
【００３９】
まず、第１要件に関して詳述する。図１に示す空気入りタイヤにおいては、全ての穴ｉが、穴群８（８１〜８３、８５〜８７）内の比較的近接した位置に穴ｊを少なくとも１つ有する。ここで、第１要件における、比較的近接した位置とは、穴ｉの外接円Ｃｉと穴ｊの外接円Ｃｊとの中心間距離ｄｉｊが、穴ｉの半径ｒｉと穴ｊの半径ｒｊとの和の２倍以下であることを満たす場合の、穴ｉに対する穴ｊの位置をいう。
【００４０】
図５は、図１に示す穴群８（８１〜８３、８５〜８７）の拡大平面図である。図５に示すように、穴群８（８１〜８３、８５〜８７）は、いずれも３つの穴８ａ、８ｂ、８ｃから構成されている。穴８ａ、８ｂ、８ｃは、平面視でいずれも円形であるため、これらの外接円は、穴８ａ、８ｂ、８ｃの外形と一致する。ここで、穴８ａの外接円Ｃａの半径をｒａ、穴８ｂの外接円Ｃｂの半径をｒｂ、穴８ｃの外接円Ｃｃの半径をｒｃ、並びに外接円Ｃａ、Ｃｂの中心間距離をｄａｂ、外接円Ｃｂ、Ｃｃの中心間距離をｄｂｃ、及び外接円Ｃｃ、Ｃａの中心間距離をｄｃａとする。
【００４１】
上記の穴ｉを穴８ａとし、穴ｊを穴８ｂ、穴８ｃとした場合、図５に示すように、穴８ａについては、穴８ｂ及び穴８ｃとの関係において、ｄａｂ≦（ｒａ＋ｒｂ）×２を満たす穴８ｂ、及びｄｃａ≦（ｒｃ＋ｒａ）×２を満たす穴８ｃが存在する。また、上記の穴ｉを穴８ｂとし、穴ｊを穴８ｃ、穴８ａとした場合、同様に、穴８ｂについては、穴８ｃ及び穴８ａとの関係において、ｄｂｃ≦（ｒｂ＋ｒｃ）×２を満たす穴８ｃ、及びｄａｂ≦（ｒａ＋ｒｂ）×２を満たす穴８ａが存在する。さらに、上記の穴ｉを穴８ｃとし、穴ｊを穴８ａ、穴８ｂとした場合、同様に、穴８ｃについては、穴８ａ及び穴８ｂとの関係において、ｄｃａ≦（ｒｃ＋ｒａ）×２を満たす穴８ａ、及びｄｂｃ≦（ｒｂ＋ｒｃ）×２を満たす穴８ｂが存在する。
【００４２】
このような穴群８（８１〜８３、８５〜８７）が形成されたトレッド表面を有する空気入りタイヤは、全ての穴、図１に示す例においては、穴８ａ、８ｂ、８ｃについて、自身の属する穴群８内の比較的近接した位置に穴が少なくとも１つ存在し、第１要件を具備する。
【００４３】
穴８ａについてみれば、穴８ｂ、８ｃが穴群８内の比較的近接した位置にある穴である。この場合、穴８ａと穴８ｂとの関係でみれば、図２に示すように、狭い領域に穴８ａと穴８ｂとを密集させると、密集させた複数の穴８ａ、８ｂの合計容積と同一の容積の１つの穴を形成した場合に比べて、個々の穴８ａ、穴８ｂは径が小さく、曲率半径が小さい円筒面は外部からの力に影響を受け難いので、潰れ難い。ここで、穴８ａ、８ｂの合計容積とは、穴８ａの容積と穴８ｂの容積との総和を意味する。このため、穴８ａ、８ｂの倒れ込みを抑制することができる。その結果、密集させた穴８ａ、８ｂの合計容積と同一の容積の１つの穴を形成した場合に比べて、除水効果を低下させることなく、トレッド部に設けられた陸部の剛性を十分に確保することができる。また、穴８ａと穴８ｃとの関係でみれば、図２に示すように、狭い領域に穴８ａと穴８ｃとを密集させると、密集させた複数の穴８ａ、８ｃの合計容積と同一の容積の１つの穴を形成した場合に比べて、個々の穴８ａ、穴８ｃは径が小さく、潰れ難い。このため、穴８ａ、８ｃの倒れ込みを抑制することができる。その結果、密集させた穴８ａ、８ｃの合計容積と同一の容積の１つの穴を形成した場合に比べて、除水効果を低下させることなく、トレッド部に設けられた陸部の剛性を十分に確保することができる。
【００４４】
同様に、穴８ｂについてみれば、穴８ｃ、８ａが穴群８内の比較的近接した位置にある穴である。この場合、穴８ｂと穴８ｃとの関係でみれば、図２に示すように、狭い領域に穴８ｂと穴８ｃとを密集させると、密集させた複数の穴８ｂ、８ｃの合計容積と同一の容積の１つの穴を形成した場合に比べて、個々の穴８ｂ、穴８ｃは径が小さく、潰れ難い。このため、穴８ｂ、８ｃの倒れ込みを抑制することができる。その結果、密集させた穴８ｂ、８ｃの合計容積と同一の容積の１つの穴を形成した場合に比べて、除水効果を低下させることなく、トレッド部に設けられた陸部の剛性を十分に確保することができる。また、穴８ｂと穴８ａとの関係でみれば、図２に示すように、狭い領域に穴８ｂと穴８ａとを密集させると、密集させた複数の穴８ｂ、８ａの合計容積と同一の容積の１つの穴を形成した場合に比べて、個々の穴８ｂ、穴８ａは径が小さく、潰れ難い。このため、穴８ｂ、８ａの倒れ込みを抑制することができる。その結果、密集させた穴８ｂ、８ａの合計容積と同一の容積の１つの穴を形成した場合に比べて、除水効果を低下させることなく、トレッド部に設けられた陸部の剛性を十分に確保することができる。
【００４５】
同様に、穴８ｃについてみれば、穴８ａ、８ｂが穴群８内の比較的近接した位置にある穴である。この場合、穴８ｃと穴８ａとの関係でみれば、図２に示すように、狭い領域に穴８ｃと穴８ａとを密集させると、密集させた複数の穴８ｃ、８ａの合計容積と同一の容積の１つの穴を形成した場合に比べて、個々の穴８ｃ、穴８ａは径が小さく、潰れ難い。このため、穴８ｃ、８ａの倒れ込みを抑制することができる。その結果、密集させた穴８ｃ、８ａの合計容積と同一の容積の１つの穴を形成した場合に比べて、除水効果を低下させることなく、トレッド部に設けられた陸部の剛性を十分に確保することができる。また、穴８ｃと穴８ｂとの関係でみれば、図２に示すように、狭い領域に穴８ｃと穴８ｂとを密集させると、密集させた複数の穴８ｃ、８ｂの合計容積と同一の容積の１つの穴を形成した場合に比べて、個々の穴８ｃ、穴８ｂは径が小さく、潰れ難い。このため、穴８ｃ、８ｂの倒れ込みを抑制することができる。その結果、密集させた穴８ｃ、８ｂの合計容積と同一の容積の１つの穴を形成した場合に比べて、除水効果を低下させることなく、トレッド部に設けられた陸部の剛性を十分に確保することができる。
【００４６】
このように、穴８ａ〜８ｃが密集することで構成される倒れ込み抑制ユニット（穴８ａ及び穴８ｂからなるユニット、穴８ｂ及び穴８ｃからなるユニット、並びに穴８ｃ及び穴８ａからなるユニット）が、各穴８ａ、８ｂ、８ｃを基準とした場合、各穴を含んだその周辺の狭い領域に少なくとも１つ存在する。即ち、図１に示す例では、穴群８（８１〜８３、８５〜８７）に関し、倒れ込み抑制ユニットが、各穴の周辺にそれぞれ２つずつ存在する。その結果、穴群８内の、各倒れ込み抑制ユニットでは、各穴８ａ〜８ｃが変形して潰れることが抑制される。
【００４７】
以上により、実施形態１の空気入りタイヤは、穴群８（８１〜８３、８５〜８７）を構成する穴８ａ〜８ｃの位置関係に関する第１要件を具備する。
【００４８】
さらに、第２要件に関して詳述する。図１に示す空気入りタイヤにおいては、接地幅をタイヤ幅方向に３等分して区画された１つのセンター領域及び２つのショルダー領域について、各領域内での陸部の総面積に対する穴の面積比率が、センター領域よりもショルダー領域で大きくなっている。ここで、接地幅とは、ＪＡＴＭＡ  ＹＥＡＲ  ＢＯＯＫ  ２００９年版  に規定されているように、タイヤを適用リムに装着し、規定の空気圧とし、無負荷状態のタイヤのトレッド模様部分の両端の直線距離を意味する。
【００４９】
図１中、点線Ｌ１、Ｌ２、Ｌ３、Ｌ４は、それぞれ、接地幅をタイヤ幅方向に３等分するための仮想点線である。以下では、仮想点線Ｌ２と仮想点線Ｌ３との間の領域をセンター領域と称し、仮想点線Ｌ１と仮想点線Ｌ２との間の領域を第１ショルダー領域と称し、仮想点線Ｌ３と仮想点線Ｌ４との間の領域を第２ショルダー領域と称する。
【００５０】
図１に示すように、陸部の総面積に対する穴の面積比率を、センター領域よりも第１ショルダー領域及び第２ショルダー領域で大きくすることにより、両ショルダー領域において除水効果を高めることができるとともに、センター領域において陸部の剛性を十分に確保することができる。ここで、陸部の総面積とは、タイヤ新品時の平面視で、各領域に含まれる全ての陸部の面積の総和を意味し、陸部の溝壁に相当する部分の面積は除く意味である。また、穴の面積とは、タイヤ新品時の平面視で、各領域に含まれる全ての穴の開口部の面積の総和を意味する。
【００５１】
以上により、実施形態１の空気入りタイヤは、陸部の総面積に対する穴の面積比率に関する第２要件を具備する。
【００５２】
以上説明したように、実施形態１の空気入りタイヤは、サイプと穴群との併用を前提に、全ての穴８ａ、８ｂ、８ｃについて比較的近接した位置に穴が少なくとも１つ存在すること（第１要件）を満たすとともに、陸部５の総面積に対する穴の面積比率を、センター領域よりもショルダー領域で大きくすること（第２要件）を満たす。このため、第１要件及び第２要件が相まって、高い除水効果、吸水効果、及びエッジ効果によって氷上性能を高めることができるとともに、トレッド部に設けられた陸部の剛性を十分に確保することでドライ性能を高めることができる。従って、この空気入りタイヤによれば、氷上性能とドライ性能とを両立することができる。
【００５３】
ここで、氷上性能とは、氷上でのタイヤの各種性能をいい、特に、磨かれたアイスバーン上での駆動性能及び制動性能を意味する。また、ドライ性能とは、乾燥路面上でのタイヤの各種性能をいい、特に、乾燥路面上での駆動性能及び制動性能を意味する。
【００５４】
なお、図５に示す例は、各穴８ａ、８ｂ、８ｃの中心を結んだ図形が正三角形となる穴の配置態様であるが、本実施形態はこれに限られない。図３−１から図３−３に示す穴の配置態様についても、上記の第１要件及び第２要件を満たす。図１に示す全ての穴群を図３−１に示す穴群８に置換した場合、全ての穴について、自身の属する穴群の中に、ｄｉｊ≦（ｒｉ＋ｒｊ）×２を満たす穴が少なくとも１つ（穴８ａについては穴８ｂ、８ｃ、穴８ｂについては穴８ａ、穴８ｃについては穴８ａ）存在する（第１要件具備）。また、第２要件については、穴群８の配置態様に関する要件であるため、図１に示す例と同様に具備する。
【００５５】
また、図１に示す全ての穴群を図３−２に示す穴群８に置換した場合、全ての穴について、自身の属する穴群の中に、ｄｉｊ≦（ｒｉ＋ｒｊ）×２を満たす穴が少なくとも１つ（穴８ａについては穴８ｂ、穴８ｂについては穴８ａ、８ｃ、穴８ｃについては穴８ｂ）存在する（第１要件具備）。また、第２要件については、穴群８の配置態様に関する要件であるため、図１に示す例と同様に具備する。
【００５６】
さらに、図１に示す全ての穴群を図３−３に示す穴群８に置換した場合、全ての穴について、自身の属する穴群の中に、ｄｉｊ≦（ｒｉ＋ｒｊ）×２を満たす穴が少なくとも１つ（穴８ａについては穴８ｂ、穴８ｂについては穴８ａ、８ｃ、穴８ｃについては穴８ｂ、８ｄ、穴８ｄについては穴８ｃ）存在する（第１要件具備）。また、第２要件については、穴群８の配置態様に関する要件であるため、図１に示す例と同様に具備する。
【００５７】
このため、図３−１から図３−３に示す例についても、高い除水効果、吸水効果、及びエッジ効果によって氷上性能を高めることができるとともに、トレッド部に設けられた陸部の剛性を十分に確保することでドライ性能を高めることができる。従って、これらの空気入りタイヤによっても、氷上性能とドライ性能とを両立することができる。
【００５８】
実施形態１の空気入りタイヤにおいては、上述のとおり、穴群８を構成する穴の形状を、図４−１から図４−４に実線で示す円形やｎ角形（ｎ≧３）、或いは図４−５から図４−７に示す星型や、雫形、楕円形などとすることもできる。これらの中で、円形又は略円形とすることが好ましい。各穴の形状を円形又は略円形とすることで、タイヤ周方向及びタイヤ幅方向の両方に対して、除水効果、吸水効果、及びエッジ効果をより均等に発揮できるとともに、トレッド陸部の剛性をより均等に確保することができるため、氷上性能とドライ性能とをさらに高めることができる。
【００５９】
また、実施形態１の空気入りタイヤにおいては、上述のとおり、穴群８を構成する穴の寸法や形状を、図３−１から図３−３に示すように全ての穴について等しくすることも、或いは少なくとも一部において異ならせることもできるが、全ての穴の寸法や形状を等しくすることが好ましい。全ての穴の寸法や形状を等しくすることで、穴群８全体としてみた場合、タイヤ周方向及びタイヤ幅方向の両方に対して、除水効果、吸水効果、及びエッジ効果をより均等に発揮できるとともに、トレッド陸部の剛性をより均等に確保することができるため、氷上性能とドライ性能とをさらに高めることができる。
【００６０】
また、実施形態１の空気入りタイヤにおいては、穴群８を構成する穴の中心間距離を、図１に示すように全ての穴同士について等しくすることも、或いは図３−１から図３−３に示すように少なくとも一部の穴同士において異ならせることもできるが、全ての穴同士の中心間距離を等しくすることが好ましい。全ての穴同士の中心間距離を等しくすることで、穴群８全体としてみた場合、タイヤ周方向及びタイヤ幅方向の両方に対して、除水効果、吸水効果、及びエッジ効果をより均等に発揮できるとともに、トレッド陸部の剛性をより均等に確保することができ、氷上性能とドライ性能とをさらに高めることができる。
【００６１】
また、実施形態１の空気入りタイヤにおいては、第１要件において、（ｒｉ＋ｒｊ）×１．１≦ｄｉｊ≦（ｒｉ＋ｒｊ）×１．９とすることが好ましい。（ｒｉ＋ｒｊ）×１．１≦ｄｉｊとすることで、穴ｉと穴ｊとの間隔を十分に確保し、これら穴間に存在する陸部の剛性を十分に確保することができる。また、ｄｉｊ≦（ｒｉ＋ｒｊ）×１．９とすることで、狭い領域に穴ｉと穴ｊとをさらに密集させて、個々の穴ｉ、穴ｊを一層潰れ難くし、穴ｉ、ｊの倒れ込みを抑制することができる。その結果、穴同士の距離を著しく短くした、複数の穴の合計容積と同一の容積の１つの穴を形成した場合に比べて、除水効果を低下させることなく、トレッド部に設けられた陸部の剛性を十分に確保することができる。穴ｉと穴ｊとの外接円の中心間距離が０となる場合は、実質的に両穴が一致することとなり、実施形態１の技術的思想に反することとなるため、いかなる場合においても、０＜ｄｉｊとする。このように、第１要件をさらに限定した場合には、除水効果を低下させることなく、エッジ効果及びトレッド部に設けられた陸部の剛性をさらに高めることができ、ひいては氷上性能とドライ性能とをさらに高めることができる。
【００６２】
また、実施形態１の空気入りタイヤにおいては、周方向溝２（２１、２２、２３、２４、２５、２６）によって区画され、タイヤ周方向に複数の陸部を有する陸部列について、陸部５の総面積に対する穴の面積比率が、タイヤ赤道面ＣＬ上の陸部列からタイヤ幅方向外側の陸部列に向かうにつれて順次大きくなっていることが好ましい。ここで、陸部の総面積とは、タイヤ新品時の平面視で、各陸部列に含まれる全ての陸部の面積の総和を意味し、陸部の溝壁に相当する部分の面積は除く意味である。また、穴の面積とは、タイヤ新品時の平面視で、各陸部列に含まれる全ての穴の開口部の面積の総和を意味する。以下では、図１に示すように、周方向溝２１よりもタイヤ幅方向外側に位置し、複数の陸部５１からなる陸部列を陸部列Ａと称する。周方向溝２１と周方向溝２２との間に位置し、複数の陸部５２からなる陸部列を陸部列Ｂと称する。周方向溝２２と周方向溝２３との間に位置し、複数の陸部５３からなる陸部列を陸部列Ｃと称する。周方向溝２３と周方向溝２４との間に位置し、複数の陸部５４からなる陸部列を陸部列Ｄと称する。周方向溝２４と周方向溝２５との間に位置し、複数の陸部５５からなる陸部列を陸部列Ｃ´と称する。周方向溝２５と周方向溝２６との間に位置し、複数の陸部５６からなる陸部列を陸部列Ｂ´と称する。周方向溝２６よりもタイヤ幅方向外側に位置し、複数の陸部５７からなる陸部列を陸部列Ａ´と称する。
【００６３】
センター領域及びショルダー領域にサイプのみを均等に配設した場合には、ショルダー領域での陸部の剛性が不十分であることにより、ドライ性能が不十分となる。しかしながら、穴の面積比率を、陸部列Ａ、Ａ´、Ｂ、Ｂ´、Ｃ、Ｃ´、Ｄごとに、タイヤ幅方向最内側からタイヤ幅方向外側の陸部列に向かうにつれて順次大きくした場合には、その分、タイヤ幅方向外側の陸部列におけるサイプの配設量が抑制される。このため、特に、ショルダー領域での陸部の剛性を十分に確保することで、ドライ性能を効率的に高めることができ、その結果氷上性能とドライ性能との両立を効率的に行うことが可能となる。なお、図１に示す例と異なり、タイヤ赤道面上に陸部列が存在しない場合、即ち、タイヤ赤道面上に周方向溝が配設されている場合には、上記の面積比率は、タイヤ赤道面に最も近い陸部列からタイヤ幅方向外側の陸部列に向かうにつれて順次大きくすることが好ましい。
【００６４】
また、実施形態１の空気入りタイヤにおいては、接地幅をタイヤ幅方向に３等分して区画された１つのセンター領域及び２つのショルダー領域について、単位面積当たりの前記サイプの長さが、ショルダー領域よりもセンター領域で大きくなっていることが好ましい。ここで、単位面積当たりのサイプの長さとは、１つのセンター領域及び２つのショルダー領域の各々において、全てのサイプの延在方向長さの総和を、陸部の総面積で除した値を意味する。このように、単位面積当たりのサイプの長さを、ショルダー領域よりもセンター領域で大きくすることにより、センター領域ではエッジ効果を十分に得ることができるとともに、ショルダー領域では陸部の剛性を十分に得ることができる。このため、エッジ効果の確保及び陸部の剛性の確保を効率的に行うことができ、その結果氷上性能とドライ性能との両立を効率的に行うことが可能となる。
【００６５】
また、実施形態１の空気入りタイヤにおいては、周方向溝によって区画され、タイヤ周方向に複数の陸部を有する陸部列について、単位面積当たりの前記サイプの長さが、タイヤ幅方向最外側の陸部列からタイヤ幅方向内側の陸部列に向かうにつれて順次大きくなっていることが好ましい。ここで、単位面積当たりのサイプの長さとは、各リブ又は各陸部列の各々において、全てのサイプの延在方向長さの総和を、リブ又は陸部の総面積で除した値を意味する。
【００６６】
このように、サイプの長さを、陸部列Ａ、Ａ´、Ｂ、Ｂ´、Ｃ、Ｃ´、Ｄごとに、タイヤ幅方向最外側からタイヤ幅方向内側の陸部列に向かうにつれて順次大きくすることにより、センター領域でのエッジ効果の確保と、ショルダー領域での陸部の剛性の確保とを、効率的に行うことができ、その結果、氷上性能とドライ性能との両立をさらに効率的に行うことが可能となる。
【００６７】
また、実施形態１の空気入りタイヤにおいては、少なくとも１つの穴群８（８１〜８３、８５〜８７）において、少なくとも１つの穴の容積を他の穴の容積と異ならせたことが好ましい。例えば、穴群８１のうちの１つの穴群について、各穴８ａ〜８ｃの容積を異ならせることで、各穴８ａ〜８ｃの周りの陸部剛性と、各穴８ａ〜８ｃによる除水効果とのバランスを調整することができる。各穴８ａ〜８ｃの容積を大きくした場合は、高い除水効果が得られるが、その周りの陸部剛性は低くなる。これに対し、各穴８ａ〜８ｃの容積を小さくした場合は、除水効果は低いものとなるが、その周りの陸部剛性は向上する。各穴８ａ〜８ｃの容積は、各穴８ａ〜８ｃの開口部の面積や、各穴８ａ〜８ｃのタイヤ径方向長さを異ならせることにより設定することができる。また、各穴８ａ〜８ｃの容積は、その３次元形状を異ならせることで、設定することもできる。
【００６８】
また、実施形態１の空気入りタイヤにおいては、穴群８（８１〜８３、８５〜８７）内の全ての穴８ａ、８ｂ、８ｃの外接円の半径は、０．２ｍｍ以上１．０ｍｍ以下であることが好ましい。全ての穴８ａ、８ｂ、８ｃの外接円の半径を０．２ｍｍ以上とすることで、各穴８ａ、８ｂ、８ｃが潰れることを十分に抑制し、除水効果を高めることができる。また、当該半径を１．０ｍｍ以下とすることで、各穴８ａ、８ｂ、８ｃが変形することをより十分に抑制し、剛性の低下を一層抑制することができる。その結果、穴群８に含まれる全ての穴８ａ〜８ｃの合計容積と同一容積の１つの穴を形成した場合に比べて、除水効果とトレッド陸部の剛性とをさらに向上させ、ひいては氷上性能とドライ性能とをさらに高めることが可能となる。
【００６９】
また、実施形態１の空気入りタイヤにおいては、穴群８（８１〜８３、８５〜８７）内の穴８ａ、８ｂ、８ｃの全容積は、１０ｍｍ３以下であることが好ましい。ここで、穴群８（８１〜８３、８５〜８７）内の穴８ａ、８ｂ、８ｃの全容積とは、前記穴群８が有する全ての穴８ａ、８ｂ、８ｃの容積の総和を意味する。穴８ａ、８ｂ、８ｃの全容積を１０ｍｍ３以下とする結果、容積の小さい穴を多数配設することができる。このため、各穴８ａ、８ｂ、８ｃが変形して潰れることをさらに抑制することができ、除水効果とトレッド陸部の剛性とをさらに向上させ、ひいては氷上性能とドライ性能とをさらに高めることが可能となる。
【００７０】
また、実施形態１の空気入りタイヤにおいては、陸部５（５１、５２、５３、５４、５５、５６、５７）のタイヤ回転時の踏み込み側の領域、及び蹴り出し側の領域の少なくとも一方であることが好ましい。図１に示す例においては、穴群８（８１〜８３、８５〜８７）が、陸部５（５１〜５３、５５〜５７）のうち、タイヤ回転時の踏み込み側の領域及び蹴り出し側の領域の両方に形成されている。ここで、タイヤ回転時の踏み込み側の領域とは、タイヤが順方向回転している場合に最初に接地する領域であって、同図において陸部５のタイヤ周方向の一端領域（紙面の上端領域又は下端領域）を意味する。これに対し、タイヤ回転時の蹴り出し側の領域とは、タイヤが順方向回転している場合に最後に接地する領域であって、同図において陸部５のタイヤ周方向の他端領域（紙面の下端領域又は上端領域）を意味する。また、タイヤの順方向回転とは、タイヤを装着した車体が前進する場合のタイヤ回転を意味する。これに対し、タイヤの逆方向回転とは、タイヤを装着した車体が後進する場合のタイヤ回転を意味する。
【００７１】
このような構成のトレッド表面が形成された空気入りタイヤにおいては、タイヤ回転時の吸水効果が増大し、その結果氷上性能をさらに高めることができる。特に図１に示す例では、タイヤが順方向回転及び逆方向回転するいずれの場合においても、最初に接地する領域及び最後に接地する領域に穴群８が形成されているため、タイヤ順方向回転時及びタイヤ逆方向回転時の両方において吸水効果を効果的に発揮する。
【００７２】
図１に示す例は、穴群８がタイヤ回転時の踏み込み側及び蹴り出し側の両方の領域に形成されている例であるが、実施形態１はこのような形態に限られず、穴群８がタイヤ回転時の踏み込み側の領域及び蹴り出し側の領域の一方のみに形成されている形態も含む。なお、穴群８がタイヤ回転時の踏み込み側の領域のみに形成されている場合には、タイヤの順方向回転時の吸水効果が増大し、その結果氷上性能が向上する。これに対し、穴群８がタイヤ回転時の蹴り出し側の領域のみに形成されている場合には、タイヤ逆方向回転時の吸水効果が増大し、その結果氷上性能が向上する。
【００７３】
なお、実施形態１の空気入りタイヤは、周方向溝２によって区画された陸部列の各々が複数の陸部を有する場合であるが、本実施形態はこれに限られない。本実施形態は、周方向溝２によって、タイヤ周方向に切れ目なく延在するリブが少なくとも１つ区画された場合も包含する。
【００７４】
[実施形態２]
次に、実施形態２を詳述する。実施形態２は、穴群８（８１〜８３、８５〜８７）内の全ての穴ｉについて、自身の属する穴群の中に、ｄｉｊ≦（ｒｉ＋ｒｊ）×２を満たす穴ｊが少なくとも２つ存在する点が実施形態１と異なる。
【００７５】
図６は、実施形態２に係る空気入りタイヤのトレッド部の一例の要部を示す平面図である。以下では、図６に示す例（実施形態２）について、図１に示す例（実施形態１）との違いのみを詳述する。なお、図６において符号を付した要素中、図１において同一符号を付した要素は、図１に示す要素と同一の要素を示す。
【００７６】
図６に示す例においては、図１に示す例と比較して、穴群１０（１０１〜１０３、１０５〜１０７）の構成態様が異なる。即ち、図６に示す例では、穴群１０（１０１〜１０３、１０５〜１０７）は、平面視で円形の４つの穴１０ａ、１０ｂ、１０ｃ、１０ｄから構成されている。また、穴群１０（１０１〜１０３、１０５〜１０７）は、各穴１０ａ〜１０ｄの中心を結ぶと正方形になる配置形状となっている。
【００７７】
図７は、図６に示す穴群の拡大斜視図である。図７に示すように、穴群１０を構成する各穴１０ａ、１０ｂ、１０ｃ、１０ｄは、全て、タイヤ径方向外側が円筒形状であり、タイヤ径方向内側が先細り形状となっている。また、各穴１０ａ〜１０ｄは、トレッド表面に開口しているとともに、タイヤ径方向内側で底付きとなっている。なお、各穴１０ａ〜１０ｄは、底の部分で、穴径が徐々に小さくなる先細り形状となっているため、底部の剛性を向上させるのに適している。
【００７８】
図７に示す例では、各穴１０ａ、１０ｂ、１０ｃ、１０ｄは、それらのタイヤ径方向深さが同一である。各穴１０ａ〜１０ｄの深さは、十分な除水効果を得るため２ｍｍ以上とすることが好ましい。また、各穴１０ａ〜１０ｄの深さは、穴底がベルト層に近づかないことで優れた耐久性が得られるため、周方向溝２の深さ以下とすることが好ましい。
【００７９】
図６に示す例では、穴１０ａ、１０ｂ、１０ｃ、１０ｄの配置態様は、平面視で正方形であるが、実施形態２は、このような形態に限られない。図８−１及び図８−２は、実施形態２に係る空気入りタイヤのトレッド部に形成される穴群を構成する穴の配置態様についてのバリエーションを示す平面図である。
【００８０】
穴１０ａ、１０ｂ、１０ｃ、１０ｄの配置態様は、図６に示すように、各穴１０ａ〜１０ｄの中心を結んだ図形が正方形となる態様とすることができる。また、図８−１に示すように、穴群１０を穴１０ａ、１０ｂ、１０ｃ、１０ｄ、１０ｅの５つの穴から構成し、各穴１０ａ〜１０ｅの中心を結んだ図形が五角形となる態様とすることもでき、又図８−２に示すように、５つの穴１０ａ〜１０ｅから構成し、各穴１０ａ〜１０ｅの中心を結んだ図形が台形となる態様とすることもできる。なお、図８−１、図８−２に示す例においては、各穴のタイヤ径方向深さは、例えば、穴１０ａ〜１０ｅを同一とすることができる。
【００８１】
このような穴の配置態様等を前提に、穴群１０はさらに、上述した第１要件及び第２要件を満たす。図９は、図６に示す穴群１０の拡大平面図である。図９に示すように、穴１０ａ、１０ｂ、１０ｃ、１０ｄは、平面視でいずれも円形であるため、これらの外接円は、穴１０ａ〜１０ｄの外形と一致する。ここで、穴１０ａの外接円Ｃａの半径をｒａ、穴１０ｂの外接円Ｃｂの半径をｒｂ、穴１０ｃの外接円Ｃｃの半径をｒｃ、及び穴１０ｄの外接円Ｃｄの半径をｒｄ、並びに外接円Ｃａ、Ｃｃの中心間距離をｄａｃ、外接円Ｃａ、Ｃｄの中心間距離をｄａｄ、外接円Ｃｂ、Ｃｃの中心間距離をｄｂｃ、及び外接円Ｃｂ、Ｃｄの中心間距離をｄｂｄとする。
【００８２】
第１要件における穴ｉを穴１０ａとし、穴ｊを穴１０ｃ、１０ｄとした場合、図９に示すように、穴１０ａについては、穴１０ｃ及び穴１０ｄとの関係において、ｄａｃ≦（ｒａ＋ｒｃ）×２を満たす穴１０ｃ、及びｄａｄ≦（ｒａ＋ｒｄ）×２を満たす穴１０ｄが存在する。また、上記の穴ｉを穴１０ｂとし、穴ｊを穴１０ｃ、穴１０ｄとした場合、同様に、穴１０ｂについては、穴１０ｃ及び穴１０ｄとの関係において、ｄｂｃ≦（ｒｂ＋ｒｃ）×２を満たす穴１０ｃ、及びｄｂｄ≦（ｒｂ＋ｒｄ）×２を満たす穴１０ｄが存在する。さらに、上記の穴ｉを穴１０ｃとし、穴ｊを穴１０ａ、穴１０ｂとした場合、同様に、穴１０ｃについては、穴１０ａ及び穴１０ｂとの関係において、ｄａｃ≦（ｒａ＋ｒｃ）×２を満たす穴１０ａ、及びｄｂｃ≦（ｒｂ＋ｒｃ）×２を満たす穴１０ｂが存在する。加えて、上記の穴ｉを穴１０ｄとし、穴ｊを穴１０ａ、穴１０ｂとした場合、同様に、穴１０ｄについては、穴１０ａ及び穴１０ｂとの関係において、ｄａｄ≦（ｒａ＋ｒｄ）×２を満たす穴１０ａ、及びｄｂｄ≦（ｒｂ＋ｒｄ）×２を満たす穴１０ｂが存在する。
【００８３】
このような穴群１０（１０１〜１０３、１０５〜１０７）が形成されたトレッド表面を有する空気入りタイヤにおいては、全ての穴、図６に示す例においては、穴１０ａ、１０ｂ、１０ｃ、１０ｄについて、自身の属する穴群１０（１０１〜１０３、１０５〜１０７）内の比較的近接した位置に穴が少なくとも１つ存在し、第１要件を具備する。
【００８４】
穴１０ａについてみれば、穴１０ｃ、１０ｄが穴群１０内の比較的近接した位置にある穴である。この場合、穴１０ａと穴１０ｃとの関係でみれば、図７に示すように、狭い領域に穴１０ａと穴１０ｃとを密集させると、密集させた複数の穴１０ａ、１０ｃの合計容積と同一の容積の１つの穴を形成した場合に比べて、個々の穴１０ａ、穴１０ｃは径が小さく、潰れ難い。このため、穴１０ａ、１０ｃの倒れ込みを抑制することができる。その結果、密集させた穴１０ａ、１０ｃの合計容積と同一の容積の１つの穴を形成した場合に比べて、除水効果を低下させることなく、トレッド部に設けられた陸部の剛性を十分に確保することができる。また、穴１０ａと穴１０ｄとの関係でみれば、図７に示すように、狭い領域に穴１０ａと穴１０ｄとを密集させると、密集させた複数の穴１０ａ、１０ｄの合計容積と同一の容積の１つの穴を形成した場合に比べて、個々の穴１０ａ、穴１０ｄは径が小さく、潰れ難い。このため、穴１０ａ、１０ｄの倒れ込みを抑制することができる。その結果、密集させた穴１０ａ、１０ｄの合計容積と同一の容積の１つの穴を形成した場合に比べて、除水効果を低下させることなく、トレッド部に設けられた陸部の剛性を十分に確保することができる。
【００８５】
同様に、穴１０ｂについてみれば、穴１０ｃ、１０ｄが穴群１０内の比較的近接した位置にある穴である。この場合、穴１０ｂと穴１０ｃとの関係でみれば、図７に示すように、狭い領域に穴１０ｂと穴１０ｃとを密集させると、密集させた複数の穴１０ｂ、１０ｃの合計容積と同一の容積の１つの穴を形成した場合に比べて、個々の穴１０ｂ、穴１０ｃは径が小さく、潰れ難い。このため、穴１０ｂ、１０ｃの倒れ込みを抑制することができる。その結果、密集させた穴１０ｂ、１０ｃの合計容積と同一の容積の１つの穴を形成した場合に比べて、除水効果を低下させることなく、トレッド部に設けられた陸部の剛性を十分に確保することができる。また、穴１０ｂと穴１０ｄとの関係でみれば、図７に示すように、狭い領域に穴１０ｂと穴１０ｄとを密集させると、密集させた複数の穴１０ｂ、１０ｄの合計容積と同一の容積の１つの穴を形成した場合に比べて、個々の穴１０ｂ、穴１０ｄは径が小さく、潰れ難い。このため、穴１０ｂ、１０ｄの倒れ込みを抑制することができる。その結果、密集させた穴１０ｂ、１０ｄの合計容積と同一の容積の１つの穴を形成した場合に比べて、除水効果を低下させることなく、トレッド部に設けられた陸部の剛性を十分に確保することができる。
【００８６】
同様に、穴１０ｃについてみれば、穴１０ａ、１０ｂが穴群１０内の比較的近接した位置にある穴である。この場合、穴１０ｃと穴１０ａとの関係でみれば、図７に示すように、狭い領域に穴１０ｃと穴１０ａとを密集させると、密集させた複数の穴１０ｃ、１０ａの合計容積と同一の容積の１つの穴を形成した場合に比べて、個々の穴１０ｃ、穴１０ａは径が小さく、潰れ難い。このため、穴１０ｃ、１０ａの倒れ込みを抑制することができる。その結果、密集させた穴１０ｃ、１０ａの合計容積と同一の容積の１つの穴を形成した場合に比べて、除水効果を低下させることなく、トレッド部に設けられた陸部の剛性を十分に確保することができる。また、穴１０ｃと穴１０ｂとの関係でみれば、図７に示すように、狭い領域に穴１０ｃと穴１０ｂとを密集させると、密集させた複数の穴１０ｃ、１０ｂの合計容積と同一の容積の１つの穴を形成した場合に比べて、個々の穴１０ｃ、穴１０ｂは径が小さく、潰れ難い。このため、穴１０ｃ、１０ｂの倒れ込みを抑制することができる。その結果、密集させた穴１０ｃ、１０ｂの合計容積と同一の容積の１つの穴を形成した場合に比べて、除水効果を低下させることなく、トレッド部に設けられた陸部の剛性を十分に確保することができる。
【００８７】
同様に、穴１０ｄについてみれば、穴１０ａ、１０ｂが穴群１０内の比較的近接した位置にある穴である。この場合、穴１０ｄと穴１０ａとの関係でみれば、図７に示すように、狭い領域に穴１０ｄと穴１０ａとを密集させると、密集させた複数の穴１０ｄ、１０ａの合計容積と同一の容積の１つの穴を形成した場合に比べて、個々の穴１０ｄ、穴１０ａは径が小さく、潰れ難い。このため、穴１０ｄ、１０ａの倒れ込みを抑制することができる。その結果、密集させた穴１０ｄ、１０ａの合計容積と同一の容積の１つの穴を形成した場合に比べて、除水効果を低下させることなく、トレッド部に設けられた陸部の剛性を十分に確保することができる。また、穴１０ｄと穴１０ｂとの関係でみれば、図７に示すように、狭い領域に穴１０ｄと穴１０ｂとを密集させると、密集させた複数の穴１０ｄ、１０ｂの合計容積と同一の容積の１つの穴を形成した場合に比べて、個々の穴１０ｄ、穴１０ｂは径が小さく、潰れ難い。このため、穴１０ｄ、１０ｂの倒れ込みを抑制することができる。その結果、密集させた穴１０ｄ、１０ｂの合計容積と同一の容積の１つの穴を形成した場合に比べて、除水効果を低下させることなく、トレッド部に設けられた陸部の剛性を十分に確保することができる。
【００８８】
このように、穴１０ａ〜１０ｄを密集させることで構成される倒れ込み抑制ユニット（穴１０ａ及び穴１０ｃからなるユニット、穴１０ａ及び穴１０ｄからなるユニット、穴１０ｂ及び穴１０ｃからなるユニット、穴１０ｂ及び穴１０ｄからなるユニット）が、各穴１０ａ、１０ｂ、１０ｃ、１０ｄを基準とした場合、各穴を含んだその周辺の狭い領域に少なくとも１つ存在する。即ち、図６に示す例では、穴群１０に関し、倒れ込み抑制ユニットが、各穴の周辺にそれぞれ２つずつ存在する。その結果、穴群１０内の、各倒れ込み抑制ユニットでは、各穴１０ａ〜１０ｄが変形して潰れることが抑制される。
【００８９】
以上により、実施形態２の空気入りタイヤは、穴群１０（１０１〜１０３、１０５〜１０７）を構成する穴１０ａ〜１０ｄの位置関係に関する第１要件を具備する。
【００９０】
また、第２要件は、穴群１０（１０１〜１０３、１０５〜１０７）の配置態様に関する要件である。このため、図６に示す例（実施形態２）は、図１に示す例（実施形態１）と同様に、第２要件を具備する。
【００９１】
以上説明したように、実施形態２の空気入りタイヤは、サイプと穴群との併用を前提に、全ての穴群１０（１０１〜１０３、１０５〜１０７）に関し、全ての穴１０ａ、１０ｂ、１０ｃ、１０ｄについて比較的近接した位置に穴が少なくとも１つ存在すること（第１要件）を満たすとともに、陸部５の総面積に対する穴の面積比率を、センター領域よりもショルダー領域で大きくすること（第２要件）を満たす。このため、第１要件及び第２要件が相まって、高い除水効果、吸水効果、及びエッジ効果によって氷上性能を高めることができるとともに、トレッド部に設けられた陸部の剛性を十分に確保することでドライ性能を高めることができる。従って、この空気入りタイヤによれば、氷上性能とドライ性能とを両立することができる。
【００９２】
さらに、図６に示す例（実施形態２）は、第１要件及び第２要件を満たすとともに、以下の第３要件を満たす。即ち、第３要件とは、穴群ｉ（１０）内の全ての穴１０ａ、１０ｂ、１０ｃ、１０ｄについて、自身の属する穴群の中に、ｄｉｊ≦（ｒｉ＋ｒｊ）×２を満たす穴ｊが少なくとも２つ存在することである。即ち、第３要件における穴ｉを穴１０ａとし、穴ｊを穴１０ｃ、穴１０ｄとした場合、穴１０ａについては比較的近接した位置に２つの穴１０ｃ、１０ｄが存在する。第３要件における穴ｉを穴１０ｂとし、穴ｊを穴１０ｃ、穴１０ｄとした場合、穴１０ｂについては比較的近接した位置に２つの穴１０ｃ、１０ｄが存在する。第３要件における穴ｉを穴１０ｃとし、穴ｊを穴１０ａ、穴１０ｂとした場合、穴１０ｃについては比較的近接した位置に２つの穴１０ａ、１０ｂが存在する。第３要件における穴ｉを穴１０ｄとし、穴ｊを穴１０ａ、穴１０ｂとした場合、穴１０ｄについては比較的近接した位置に２つの穴１０ａ、１０ｂが存在する。
【００９３】
このように、実施形態２の空気入りタイヤは、サイプと穴群との併用を前提に、上記の第１要件及び第２要件を満たす上に、全ての穴群１０（１０１〜１０３、１０５〜１０７）に関し、全ての穴１０ａ、１０ｂ、１０ｃ、１０ｄについて比較的近接した位置に穴が少なくとも２つ存在すること（第３要件）を満たす。このため、第１要件及び第２要件が相まって、氷上性能とドライ性能とを両立することができるだけでなく、特に、第３要件によって、除水効果と、トレッド陸部の剛性とをさらに高めることができ、ひいては氷上性能とドライ性能とをさらに高めることができる。
【００９４】
なお、図９に示す例は、各穴１０ａ、１０ｂ、１０ｃ、１０ｄの中心線を結んだ図形が正方形となる穴の配置態様であるが、上述のとおり、本実施形態はこれに限られない。即ち、図８−１及び図８−２に示す穴の配置態様についても、第１要件から第３要件を満たす。図６に示す全ての穴群を図８−１に示す穴群１０に置換した場合、全ての穴について、自身の属する穴群の中に、ｄｉｊ≦（ｒｉ＋ｒｊ）×２を満たす穴が少なくとも２つ（例えば、穴１０ａについては穴１０ｃ、穴１０ｄ）存在する（第１要件及び第３要件具備）。また、第２要件については、穴群１０の配置態様に関する要件である。このため、図６に示す全ての穴群を図８−１に示す穴群１０に置換した例は、図１に示す例と同様に第２要件を具備する。
【００９５】
また、図６に示す全ての穴群を図８−２に示す穴群１０に置換した場合、全ての穴について、自身の属する穴群の中に、ｄｉｊ≦（ｒｉ＋ｒｊ）×２を満たす穴が少なくとも２つ（例えば、穴１０ａについては穴１０ｃ、穴１０ｄ）存在する（第１要件及び第３要件具備）。また、第２要件については、穴群１０の配置態様に関する要件である。このため、図６に示す全ての穴群を図８−２に示す穴群１０に置換した例は、図１に示す例と同様に第２要件を具備する。
【００９６】
このため、図８−１、及び図８−２に示す例についても、高い除水効果、吸水効果、及びエッジ効果と、トレッド陸部の高い剛性とを得ることができるため、氷上性能とドライ性能とを十分に両立することができる。また、図８−１、及び図８−２に示す例についても、特に、第３要件によって、除水効果と、トレッド陸部の剛性とをさらに高めることができ、ひいては氷上性能とドライ性能とをさらに高めることができる。
【実施例】
【００９７】
本実施形態、従来例、及び比較例に係る空気入りタイヤを製造し、評価した。なお、本実施形態によるものが実施例である。比較例は、従来例を示すものではない。
【００９８】
タイヤサイズを１９５／６５Ｒ１５で共通にした空気入りタイヤにおいて、図１０に示す諸事項（穴の配置態様、図１に示す各陸部列での穴の面積比率、各陸部列でのサイプの長さ、１つの穴群内の穴の容積、及び各穴の容積）を満たす穴又は穴群をタイヤ全周に備え、かつ、その他の構成については図１に示すトレッド部の構成を採用した、従来例、比較例１、２、及び実施例１〜６の空気入りタイヤをそれぞれ製造した。ここで、各陸部列での穴の面積比率とは、陸部の総面積に対する穴の面積比率を意味し、陸部の総面積とは、タイヤ新品時の平面視で、各陸部列に含まれる全ての陸部の面積の総和を意味し、陸部の溝壁に相当する部分の面積は除く意味である。また、穴の面積とは、タイヤ新品時の平面視で、各陸部列に含まれる全ての穴の開口部の面積の総和を意味する。
【００９９】
これら各試験タイヤをリムサイズ１５×６ＪＪのリムに装着し、空気圧を２３０ｋＰａにして、以下に示す測定条件により、氷上性能、及びドライ性能について評価試験を行った。また、車両は、１５００ｃｃクラスの乗用車を用いた。
【０１００】
氷上性能については、磨かれたアイスバーン（氷上路面）において、初速度４０ｋｍ／ｈからの制動停止距離を測定した。また、ドライ性能については、テストコース及びサーキットにおいて、初速度１００ｋｍ／ｈからの制動停止距離に関する評価を、テストドライバー５人による１０点法を用いたフィーリング評価によって行った。
【０１０１】
これらの性能については、いずれも、従来例の空気入りタイヤを１００とした相対指数として算出した。これらの指数については、大きいほど各性能が優れていることを意味する。以上の各評価結果を図１０に併記する。
【０１０２】
図１０から明らかなように、本発明の範囲内にある実施例１〜６の空気入りタイヤについては、氷上性能及びドライ性能のいずれの評価項目についても、１００を超える優れた結果が得られている。これは、実施例１〜６の空気入りタイヤは、いずれも、サイプと穴群との併用を前提に、全ての穴について比較的近接した位置に他の穴が少なくとも１つ存在し、陸部の総面積に対する穴の面積比率が、センター領域よりもショルダー領域で大きいため、高い除水効果、吸水効果、及びエッジ効果によって氷上性能を高めることができるとともに、トレッド部に設けられた陸部の剛性を十分に確保することで、ドライ性能を高めることができるためであると考えられる。
【０１０３】
実施例１〜６の空気入りタイヤを個別にみると、実施例２の空気入りタイヤについては、実施例１の空気入りタイヤに比べて、ドライ性能が向上している。これは、陸部の総面積に対する穴の面積比率が、タイヤ赤道面上の陸部列からタイヤ幅方向外側の陸部列に向かうにつれて順次大きくなっていることから、特に、ショルダー領域での陸部の剛性を十分に確保できたためであると考えられる。
【０１０４】
実施例３の空気入りタイヤについては、実施例１の空気入りタイヤに比べて、氷上性能及びドライ性能が向上している。これは、単位面積当たりのサイプの長さが、ショルダー領域よりもセンター領域で大きくなっていることから、センター領域ではエッジ効果を十分に得ることができるとともに、ショルダー領域では陸部の剛性を十分に得ることができるためであると考えられる。
【０１０５】
実施例４の空気入りタイヤについては、実施例３の空気入りタイヤに比べて、ドライ性能が向上している。これは、陸部の総面積に対する穴の面積比率が、タイヤ赤道面上の陸部列からタイヤ幅方向外側の陸部列に向かうにつれて順次大きくなっていることから、特に、ショルダー領域での陸部の剛性を十分に確保することができたためであると考えられる。
【０１０６】
実施例５の空気入りタイヤについては、実施例４の空気入りタイヤに比べて、氷上性能及びドライ性能が向上している。これは、単位面積当たりの前記サイプの長さが、タイヤ幅方向最外側の陸部列からタイヤ幅方向内側の陸部列に向かうにつれて順次大きくなっていることから、特に、センター領域でのエッジ効果の確保と、ショルダー領域での陸部剛性の確保とを効率的に行うことができたためであると考えられる。
【０１０７】
実施例６の空気入りタイヤについては、実施例５の空気入りタイヤに比べて、氷上性能及びドライ性能が向上している。実施例６の空気入りタイヤにおいては、少なくとも１つの穴の容積を他の穴の容積と異ならせている。このため、各穴を基準とした場合、各穴による除水効果のみならず、各穴の周りに存在する忠実なトレッドゴムの剛性を適宜設定することができる。従って、実施例６の空気入りタイヤにおいては、除水効果とトレッド部に設けられた陸部の剛性とを局所的に大きく又は小さくすることができるために、氷上性能とドライ性能とが向上したものと考えられる。
【０１０８】
これに対し、比較例１、２の空気入りタイヤは、いずれも、穴の配置態様が、穴群ではなく、単なる穴である。このため、比較例１、２の空気入りタイヤは、特に、優れたエッジ効果が得られていない。その結果、比較例１、２の空気入りタイヤは、全ての陸部列においてサイプのみを均等に配設した従来例の空気入りタイヤに比べて、氷上性能が低下したものと考えられる。
【産業上の利用可能性】
【０１０９】
以上のように、本発明に係る空気入りタイヤは、氷上性能とドライ性能との両立を図ることに有用である。
【符号の説明】
【０１１０】
１  トレッド部
２１、２２、２３、２４、２５、２６、  周方向溝
３１、３２、３３、３４、３５、３６、３７、３８、４１、４２  横溝
５１、５２、５３、５４、５５、５６、５７  陸部
６１、６２、６３、６４、６５、６６、６７  サイプ
７１、７２、７３、７４、７５、７６、７７  小ブロック
８、８１、８２、８３、８５、８６、８７、１０、１０１、１０２、１０３、１０５、１０６、１０７  穴群
８ａ、８ｂ、８ｃ、８ｄ、１０ａ、１０ｂ、１０ｃ、１０ｄ、１０ｅ  穴
ＣＬ  タイヤ赤道面
Ａ、Ａ´、Ｂ、Ｂ´、Ｃ、Ｃ´、Ｄ  陸部列
Ｌ１、Ｌ２、Ｌ３、Ｌ４  仮想点線
Ｗ  陸部のタイヤ周方向長さ
【図１】
0005685868.tif 000002
【図２】
0005685868.tif 000003
【図３−１】
0005685868.tif 000004
【図３−２】
0005685868.tif 000005
【図３−３】
0005685868.tif 000006
【図４−１】
0005685868.tif 000007
【図４−２】
0005685868.tif 000008
【図４−３】
0005685868.tif 000009
【図４−４】
0005685868.tif 000010
【図４−５】
0005685868.tif 000011
【図４−６】
0005685868.tif 000012
【図４−７】
0005685868.tif 000013
【図５】
0005685868.tif 000014
【図６】
0005685868.tif 000015
【図７】
0005685868.tif 000016
【図８−１】
0005685868.tif 000017
【図８−２】
0005685868.tif 000018
【図９】
0005685868.tif 000019
【図１０】
0005685868.tif 000020